(57)【要約】【課題】制御回路基板を大きくしても、筐体を大きくすることなく、組み立て性や保全性を良好に維持することができる空気調和機の室内機を得る。【解決手段】 空気調和機の室内機１００の電装部４が、電源回路基板１０を収納する電装部固定部分４ａと、制御回路基板４０を収納する電装部可動部分４ｂとを具備し、電装部固定部分４ａは、熱交換器３の一方の端面と筐体７の一方の端面との間において、基台１に固定され、電装部可動部分４ｂは、電装部固定部分４ａの取付部前面２３ｃに回転自在かつ着脱自在に取り付けられ、電装部可動部分４ｂが筐体７の内側に向かって回転された際、取付部前面２３ｃから離脱不能の状態で、ドレンユニット５の一方の端面と筐体７の一方の端面との間に侵入し、筐体７の外側に向かって回転された際、取付部前面２３ｃから離脱可能になる。【選択図】図４
2014119179.tif 000002
【特許請求の範囲】
【請求項１】
基台と、該基台に取り付けられ、室内空気を吸い込む吸込口および調和空気を吹き出す吹出口を具備し、前記吸込口から前記吹出口に至る風路が形成された筐体と、前記基台に設置され、前記風路における空気流れを形成する送風ファンと、前記風路内に配置され、冷凍サイクルの一部を実行する熱交換器と、該熱交換器の下方に配置されたドレンユニットと、前記送風ファンおよび前記冷凍サイクルの運転を制御する電装部と、を有し、
前記電装部が、前記送風ファンおよび前記冷凍サイクルを駆動する電源を供給するための回路が実装された基板である電源回路基板を収納する電装部固定部分と、前記送風ファンおよび前記冷凍サイクルを制御するための回路が実装された基板である制御回路基板を収納する電装部可動部分と、を具備し、
前記電装部固定部分は、前記熱交換器の一方の端面と前記筐体の一方の端面との間において、前記基台に固定され、
前記電装部可動部分は、前記電装部固定部分の前面に回転自在かつ着脱自在に取り付けられ、前記電装部可動部分が前記筐体の内側に向かって回転された際、前記電装部固定部分の前面から離脱不能の状態で、前記ドレンユニットの一方の端面と前記筐体の一方の端面との間に侵入し、前記筐体の外側に向かって回転された際、前記電装部固定部分の前面から離脱可能になることを特徴とする空気調和機の室内機。
【請求項２】
前記電装部固定部分の前面に、取付軸リブによって支持された取付軸を具備する固定部分取付手段が設けられ、
前記電装部可動部分の後面に、前記取付軸の両端がそれぞれ侵入自在かつ離脱自在な軸侵入穴を形成する一対の軸受部材を具備する可動部分取付手段が設けられ、前記一対の軸受部材は、互いに対向し、互いの間隔がより狭くなる狭幅端面および互いの間隔がより広くなる広幅端面が形成されている階段状の端面を具備し、
前記電装部可動部分が前記筐体の内側に向かって回転された際、前記電装部可動部分の後面が前記電装部固定部分の前面に対して平行になり、前記狭幅端面が前記電装部固定部分の前面に対向することによって、前記取付軸は前記狭幅端面に妨げられて前記軸侵入穴から離脱不能になり、
前記電装部可動部分が前記筐体の外側に向かって回転された際、前記電装部可動部分の後面が前記電装部固定部分の前面に対して垂直になり、前記広幅端面が前記電装部固定部分の前面に対向することによって、前記取付軸は前記広幅端面同士の間を経由して前記軸侵入穴から離脱可能になることを特徴とする請求項１記載の空気調和機の室内機。
【請求項３】
前記電装部固定部分は、前記電源回路基板を収納する電源箱を具備し、
前記電装部可動部分は、前記制御回路基板を保持する可動部分ベースを具備し、
前記可動部分ベースの幅が前記電源箱の幅よりも大きいことを特徴とする請求項１または２記載の空気調和機の室内機。
【発明の詳細な説明】
【技術分野】
【０００１】
本発明は空気調和機の室内機、特に、ユニット化された電装品モジュールを有する空気調和機の室内機に関するものである。
【背景技術】
【０００２】
室内の壁面に設置された空気調和機の室内機は、壁面に固定された基台と、基台に取り付けられ、室内空気を吸い込む吸込口および調和空気を吹き出す吹出口が形成された筐体と、基台に設置され、吸込口から吹出口に至る風路を形成する送風ファンと、風路内に配置され、冷凍サイクルの一部を実行する熱交換器と、送風ファン、冷凍サイクルおよび熱交換器を運転制御する電装品とを、有している。
そして、組み立て性やメンテナンス性を向上させるため、電装品をユニット化した電装品モジュールとし、かかる電装品モジュールを収納する電装部（電装箱および電装蓋から構成されている）を筐体の一方の端寄りのスペース、すなわち、熱交換器の一方の端面と筐体の一方の端面との間に配置する空気調和機が開示されている（例えば、特許文献１参照）。
【先行技術文献】
【特許文献】
【０００３】
【特許文献１】特開２００７−１２７３４４号公報（第４−５頁、図２）
【発明の概要】
【発明が解決しようとする課題】
【０００４】
特許文献１に開示された空気調和機は、電装箱にファンモーターが固定されていると共に、電装箱の内部に電装基板（各機器を制御するための制御回路を具備する、本発明の「制御回路基板」に相当する）が着脱自在に保持され、さらに、電装箱の外面に端子部（端子および各機器への電源を供給するための電源回路を具備する、本発明の「電源回路基板」に相当する）が取り付けられている。このため、ファンモーターの振動が抑えられ、また、電装基板が端子部からのノイズの影響を受け難くなるという効果が得られる。
しかしながら、電装基板を保持している電装箱は電装蓋によって覆われるため、電装基板を点検あるいは交換しようとすると、筐体を基台から取り外した後、電装蓋を開ける必要があり、作業が繁雑になるという問題があった。
また、例えば、室内を監視するための監視装置や、制御状況を周知させるための表示装置等を搭載しようとすると、電装基板の拡大に伴って電装部が大きくなる。そうすると、電装部が周囲の機器に近接したり、周囲の機器と干渉したりして、組み立て性や保全性が阻害されるおそれが生じるという問題があった。
【０００５】
本発明は、前記問題を解決するためになされたものであって、電装基板（制御回路基板）を点検あるいは交換する際の作業性を改善すると共に、電装基板を大きくしても、筐体を大きくすることなく、組み立て性や保全性を良好に維持することができる空気調和機の室内機を得るものである。
【課題を解決するための手段】
【０００６】
本発明に係る空気調和機の室内機は、基台と、該基台に取り付けられ、室内空気を吸い込む吸込口および調和空気を吹き出す吹出口を具備し、前記吸込口から前記吹出口に至る風路が形成された筐体と、前記基台に設置され、前記風路における空気流れを形成する送風ファンと、前記風路内に配置され、冷凍サイクルの一部を実行する熱交換器と、該熱交換器の下方に配置されたドレンユニットと、前記送風ファンおよび前記冷凍サイクルの運転を制御する電装部と、を有し、前記電装部が、前記送風ファンおよび前記冷凍サイクルを駆動する電源を供給するための回路が実装された基板である電源回路基板を収納する電装部固定部分と、前記送風ファンおよび前記冷凍サイクルを制御するための回路が実装された基板である制御回路基板を収納する電装部可動部分と、を具備し、前記電装部固定部分は、前記熱交換器の一方の端面と前記筐体の一方の端面との間において、前記基台に固定され、前記電装部可動部分は、前記電装部固定部分の前面に回転自在かつ着脱自在に取り付けられ、前記電装部可動部分が前記筐体の内側に向かって回転された際、前記電装部固定部分の前面から離脱不能の状態で、前記ドレンユニットの一方の端面と前記筐体の一方の端面との間に侵入し、前記筐体の外側に向かって回転された際、前記電装部固定部分の前面から離脱可能になることを特徴とする。
【発明の効果】
【０００７】
本発明に係る空気調和機の室内機は、電装部を電装部固定部分と電装部可動部分とに分離して、電装部固定部分を熱交換器の端面と筐体との間に設置すると共に、電装部可動部分を電装部固定部分の前面側に取り付け、ドレンユニットの端部と筐体との間に配置することを可能にしたことから、筐体を大きくすることなく、電装部可動部分を大きくすることが可能になる。すなわち、空気調和機の制御機能を拡大して、制御回路基板が拡大しても、筐体（室内機）を小サイズに抑えることが可能になる。また、電装部可動部分を電装部固定部分に対して回転自在にしているから、電装部固定部分を回転するだけで、熱交換器またはドレンユニットを簡単に点検することできる。さらに、電装部可動部分を電装部固定部分に対して取り外し自在にしているから、電装部可動部分を簡単に取り外すことによって、電装部可動部分に収納された制御回路基板の点検や取り替えを容易に実行することが可能になる。
【図面の簡単な説明】
【０００８】
【図１】本発明の実施の形態１に係る空気調和機の室内機を説明する側面視の断面図。
【図２】図１に示す室内機の各部材を分離して示す斜視図。
【図３ａ】図１に示す室内機の一部を透過して示す正面図。
【図３ｂ】図１に示す室内機の一部を透過して示す側面図。
【図４】図１に示す室内機に設置された電装部の各部材を分離して示す斜視図。
【図５ａ】図１に示す室内機に設置された電装部の電装部固定部分を示す斜視図。
【図５ｂ】図５ａに示す電装部固定部分の一部（取付軸）を拡大して示す斜視図。
【図６ａ】図１に示す室内機に設置された電装部の電装部可動部分を示す斜視図。
【図６ｂ】図５ａに示す電装部可動部分の一部（軸受部分）を拡大して示す斜視図。
【図６ｃ】図５ａに示す電装部可動部分の一部（軸受部分）を拡大して示す斜視図。
【図７ａ】図１に示す室内機に設置された電装部の電装部可動部分の取付状態を模式的に示す正面図。
【図７ｂ】図１に示す室内機に設置された電装部の電装部可動部分の取付状態を模式的に示す右側面図。
【図７ｃ】図１に示す室内機に設置された電装部の電装部可動部分の取付状態を一部を拡大して示す左側面図。
【図７ｄ】図１に示す室内機に設置された電装部の電装部可動部分の取付状態を一部を拡大して示す断面図。
【図８ａ】図１に示す室内機に設置された電装部の電装部可動部分の回転状態を模式的に示す正面図。
【図８ｂ】図１に示す室内機に設置された電装部の電装部可動部分の回転状態を模式的に示す右側面図。
【図８ｃ】図１に示す室内機に設置された電装部の電装部可動部分の回転状態を一部を拡大して示す左側面図。
【図８ｄ】図１に示す室内機に設置された電装部の電装部可動部分の回転状態を一部を拡大して示す断面図。
【図９ａ】図１に示す室内機に設置された電装部の電装部可動部分の取り外しの初期状態を拡大して示す左側面図。
【図９ｂ】図１に示す室内機に設置された電装部の電装部可動部分の取り外しの終了状態を拡大して示す左側面図。
【発明を実施するための形態】
【０００９】
［実施の形態１］
図１〜図３ｂは、本発明の実施の形態１に係る空気調和機の室内機を説明するものであって、図１は側面視の断面図、図２は各部材を分離して示す斜視図、図３ａは一部を透過して示す正面図、図３ｂは一部を透過して示す側面図である。なお、各図は模式的に描かれたものであって、本発明は、かかる描かれた形態に限定するものではない（図４以降の図においても同様）。
【００１０】
（室内機）
図１〜図３ｂにおいて、空気調和機の室内機（以下「室内機」と称する）１００は、壁面（図示しない）に固定された基台１と、基台１に取り付けられ、室内空気を吸い込む吸込口７ａおよび調和空気を吹き出す吹出口７ｂが形成された筐体７と、基台１に設置され、吸込口７ａから吹出口７ｂに至る風路８における空気流れを形成する送風ファン２と、風路８内に配置され、冷凍サイクルの一部を実行する熱交換器３と、熱交換器３の下方に配置され、熱交換器３から滴下するドレン水を受け止めるドレンユニット５と、筐体７の前面側開口部（図示しない）を開閉する意匠パネル６と、を有している。なお、ドレンユニット５に受け止められたドレン水はドレンホース（図示せず）を流れて室外に排出される。
また、風路８内で、ドレンユニット５の下面には、調和空気の水平方向（左右方向）の吹き出し方向を調整する左右風向板９ａが設置され、吹出口７ｂには、調和空気の垂直方向（上下方向）の吹き出し方向を調整すると共に、吹出口を開閉する上下風向板９ｂが設置されている。
【００１１】
さらに、送風ファン２、冷凍サイクルおよび熱交換器３等の運転を制御する電装部４が、基台１の一方の端面（図３ａにおいて右側）寄りで、熱交換器３の一方の端部と筐体７の一方の端面との間、および熱交換器３の一方の端部とドレンユニット５の前面の一部との間に設置されている。
なお、以下、電装部４の説明において、電装部４が基台１に設置された状態に基づいて、基台１側を「後側」、意匠パネル６側を「前側」、吸込口７ａ側を「上側」、吹出口７ｂ側を「下側」、熱交換器３側を「内側」、熱交換器３の反対側（筐体７の一方の端面側）を「外側」とする。
【００１２】
（電装部）
図４は、図１に示す空気調和機の室内機に設置された電装部を説明するものであって、各部材を分離して示す斜視図である。
図４において、電装部４は、電源回路基板１０を具備する電装部固定部分４ａと、制御回路基板４０を具備する電装部可動部分４ｂと、から形成され、電装部固定部分４ａは基台１に設置され、電装部可動部分４ｂは電装部固定部分４ａに回動自在かつ着脱自在に設置されている。
【００１３】
（電装部固定部分）
電装部固定部分４ａは、電源回路基板１０を収納する収納部２１と、収納部２１の開口部を覆う電源箱カバー３０とを有している。
収納部２１は、収納部上面２１ｂ、収納部前面２１ｃ、収納部下面２１ｄ、および収納部後面２１ｅによって包囲された側壁（正確には、収納部下面２１ｄの収納部前面２１ｃに近い範囲が開口している）と、該側壁の一方側（内側）を塞ぐ収納部内面２１ａとによって形成され、該側壁の他方側（外側）が開口した収納部２１と、収納部２１に接続され、下方に向かって突き出した中間部２２と、中間部２２に接続され、斜め後方かつ下方に向かって突き出した取付部２３と、を有している。
【００１４】
このとき、収納部後面２１ｅが基台１に固定されている。また、収納部前面２１ｃと中間部２２の中間部前面２２ｃとは折れ曲がった状態で連続（正確には、僅かの段差または僅かの隙間がある場合がある）し、中間部前面２２ｃと取付部２３の取付部前面２３ｃとは折れ曲がった状態で連続（正確には、僅かの段差または僅かの隙間がある場合がある）している。
そして、取付部前面２３ｃには、電装部可動部分４ｂを回動自在かつ着脱自在に取り付けるための固定部分取付手段７０が設けられている（これについては別途詳細に説明する）。
【００１５】
電源箱カバー３０は、電源箱２０の外側の開口部を覆うカバー面３０ａと、収納部上面２１ｂおよび収納部前面２１ｃを覆うように、これらに当接するカバー上面３０ｂおよびカバー前面３０ｃとを有している。
【００１６】
電源回路基板１０は、端子類や送風ファン２等を駆動する電源を供給するための回路が実装された基板であって、端子類や回路が形成されている実装面１１が外側（カバー面３０ａ）を向いた姿勢で、電源箱２０内に収納され、実装面の裏面１２が収納部内面２１ａに対向または当接している。
【００１７】
（電装部可動部分）
電装部可動部分４ｂは、取付部前面２３ｃに回動自在かつ着脱自在に取り付けられた可動部分ベース５０と、可動部分ベース５０に着脱自在に取り付けられた制御回路基板４０と、可動部分ベース５０に保持された状態の制御回路基板４０を覆う可動部分カバー６０と、を有している。
【００１８】
なお、制御回路基板４０は、送風ファン２等を制御するためのマイコンや回路等が実装された実装面４１が可動部分カバー６０に対向し、実装面４１の回路裏面４２が可動部分ベース５０のベース表面５１に当接または僅かの隙間を空けて対向している。
そして、可動部分ベース５０のベース裏面５２には、電装部固定部分４ａに回動自在かつ着脱自在に取り付けるための可動部分取付手段８０が設けられている（これについては別途詳細に説明する）。
【００１９】
（取付手段）
図５ａ〜図６ｃは、図１に示す空気調和機の室内機に設置された電装部を説明するものであって、図５ａは電装部固定部分を示す斜視図、図５ｂは電装部固定部分の一部（取付軸）を拡大して示す斜視図、図６ａは電装部可動部分を示す斜視図、図６ｂおよび図６ｃは電装部可動部分の一部（軸受部分）を拡大して示す斜視図である。
電装部可動部分４ｂは電装部固定部分４ａに対して、電装部固定部分４ａの取付部２３の取付部前面２３ｃに設けられた固定部分取付手段７０と、電装部可動部分４ｂの可動部分ベース５０のベース裏面５２に設けられた可動部分取付手段８０とから構成された機構によって、回動自在かつ着脱自在に配置されている（これについては別途詳細に説明する）。
【００２０】
図５ａおよび図５ｂにおいて、電装部固定部分４ａに設けられた固定部分取付手段７０は、取付部前面２３ｃに固定された取付軸リブ７１と、取付軸リブ７１によって、取付部前面２３ｃから所定の距離だけ離れた位置で、取付部前面２３ｃに対して平行に支持された取付軸７２（Ｗ−Ｗにて示す軸心を「回転軸４ｃ」と称す）と、取付部前面２３ｃに設けられ、取付部前面２３ｃに平行な前面を具備する閉方向ストッパー７３ａ、７３ｂと、取付部前面２３ｃに設けられ、取付部前面２３ｃに垂直な側面を具備する開方向ストッパー７４と、取付部前面２３ｃに垂直な側面を具備する固定部分移動ストッパー７５と、を有している。
【００２１】
取付軸リブ７１は取付軸上リブ７１ａおよび取付軸下リブ７１ｂとを具備し、取付軸上リブ７１ａの上面と取付軸下リブ７１ｂの下面とは平行であって、所定の距離「Ｃ」だけ離れている。
また、取付軸７２は、基台１の長手方向に垂直な面内にあって、取付部前面２３ｃに平行で、取付軸７２の取付軸上端７２ａは取付軸上リブ７１ａの上面に対して距離「Ａ」だけ突出し、一方、取付軸７２の取付軸下端７２ｂは取付軸下リブ７１ｂの下面に対して距離「Ｂ」だけ突出している。
さらに、取付軸上リブ７１ａと取付軸下リブ７１ｂの外側の端面は取付部前面２３ｃに垂直になっている。
【００２２】
図６ａ〜図６ｃにおいて、電装部可動部分４ｂの可動部分取付手段８０は、可動部分ベース５０のベース裏面５２に設けられ、電装部固定部分４ａの取付軸７２を回転自在に支持する軸受部材８１と、ベース裏面５２に設けられた可動部分移動ストッパー８５とを、具備している。
軸受部材８１は、取付軸７２の取付軸上端７２ａが侵入する軸上侵入穴８２ａを形成する軸受上部材８１ａと、取付軸７２の取付軸下端７２ｂが侵入する軸下侵入穴８２ｂを形成する軸受下部材８１ｂとを具備している。
軸受上部材８１ａと軸受下部材８１ｂとは互いに対向し、それぞれの対向する端面が階段状であって、可動部分ベース５０の一方のベース側縁５４側の半分を占める狭幅上端面８４ａおよび狭幅下端面８４ｂと、可動部分ベース５０の他方のベース側縁５３側の半分を占める広幅上端面８３ａおよび広幅下端面８３ｂと、を具備している。
【００２３】
図５ｂ、図６ｂおよび図６ｃにおいて、狭幅上端面８４ａと狭幅下端面８４ｂとの間隔「Ｄ」が、広幅上端面８３ａと広幅下端面８３ｂとの間隔「Ｅ」よりも狭く（Ｄ＜Ｅ）なっている。
そして、軸上侵入穴８２ａは取付軸７２の取付軸上端７２ａが侵入自在であるから、広幅上端面８３ａから距離Ａ以上の深さを具備し、軸下侵入穴８２ｂは取付軸７２の取付軸下端７２ｂが侵入自在であるから、広幅下端面８３ｂから距離Ｂ以上の深さを具備している。
そして、取付軸７２は、取付軸リブ７１が狭幅上端面８４ａおよび狭幅下端面８４ｂの位相に位置した状態（取付部前面２３ｃとベース裏面５２とが平行になった状態に同じ）で、可動部分取付手段８０から脱落不能に保持される。一方、広幅上端面８３ａおよび広幅下端面８３ｂの位相に位置した状態（取付部前面２３ｃに対してベース裏面５２が垂直になった状態に同じ）で、可動部分取付手段８０から脱落可能である。したがって、間隔Ｄ、Ｅおよび距離Ａ、Ｂ、Ｃとの間には、「Ｄ＜（Ａ＋Ｃ）＜Ｅ」および「Ｄ＜（Ｂ＋Ｃ）＜Ｅ」の関係がある。
【００２４】
（電装部可動部分の作動状況）
図７ａ〜図８ｄは、図１に示す空気調和機の室内機に設置された電装部の作動状況（電装部可動部分の作動状況）を説明するものであって、図７ａは電装部可動部分の取付状態を模式的に示す正面図、図７ｂは電装部可動部分の取付状態を模式的に示す右側面図、図７ｃは電装部可動部分の取付状態を一部を拡大して示す左側面図、図７ｄは電装部可動部分の取付状態を一部を拡大して示す断面図、図８ａは電装部可動部分の回転状態を模式的に示す正面図、図８ｂは電装部可動部分の回転状態を模式的に示す右側面図、図８ｃは電装部可動部分の回転状態を一部を拡大して示す左側面図、図８ｄは電装部可動部分の回転状態を一部を拡大して示す断面図である。
【００２５】
（電装部可動部分の取付状態）
図７ａ〜図７ｃにおいて、固定部分取付手段７０および可動部分取付手段８０は以上の構成であるから、取付軸７２の取付軸上端７２ａおよび取付軸下端７２ｂがそれぞれ軸上侵入穴８２ａおよび軸下侵入穴８２ｂに侵入した状態で、電装部可動部分４ｂを回転すると、やがて、ベース裏面５２は閉方向ストッパー７３ａ、７３ｂの前面に当接して、回転が規制される。このとき、取付部２３の取付部前面２３ｃに可動部分ベース５０のベース裏面５２が平行に対向した状態になるため、狭幅上端面８４ａおよび狭幅下端面８４ｂの円弧状の範囲は、取付部前面２３ｃに対向し、狭幅上端面８４ａおよび狭幅下端面８４ｂの直線状の範囲は内側を向いている（図７ｃ参照）。
【００２６】
そうすると、取付軸７２は軸受部材８１に拘束されているため、電装部可動部分４ｂを取付部前面２３ｃに対して垂直の方向（斜め下側）に向かって、および取付部前面２３ｃに対して略平行な方向（外側）に向かって移動させることができない。また、可動部分移動ストッパー８５の側面が固定部分移動ストッパー７５の側面に対向しているから、電装部可動部分４ｂは取付部前面２３ｃに対して略平行な方向（内側）に向かって移動不能になっている。
そして、電装部可動部分４ｂは、図示しない回転ロック手段によって開き方向に回転不能になっているから、電装部可動部分４ｂは電装部固定部分４ａに対して回転不能かつ平行移動不能になっている。
【００２７】
（電装部可動部分の回転状態）
図８ａ〜図８ｃにおいて、図示しない回転ロック手段を開放すると、電装部可動部分４ｂは電装部固定部分４ａに対して回転可能になる。このとき、取付軸７２は軸受部材８１に拘束されているため、電装部可動部分４ｂを取付部前面２３ｃと略平行に上下方向および外側に向かって、あるいは、取付部前面２３ｃと略垂直に前側に向かって移動させることができない。すなわち、電装部可動部分４ｂは取付軸７２の軸心である回転軸４ｃ（Ｗ−Ｗにて示す）を回転中心として回転する（正確には、取付軸７２と軸侵入穴８２との間に隙間があるため、回転軸４ｃは所定の範囲で僅かに変動する）。そして、ベース裏面５２が開方向ストッパー７４の側面に当接するまで回転したところで、回転が規制される。
【００２８】
（電装部可動部分の取り外し状態）
図９ａおよび図９ｂは、図１に示す空気調和機の室内機に設置された電装部の作動状況（電装部可動部分の取り外し状況）を説明するものであって、図９ａは電装部可動部分の取り外しの初期状態を拡大して示す左側面図、図９ｂは電装部可動部分の取り外しの終了状態を拡大して示す左側面図である。
図９ａおよび図９ｂにおいて、電装部可動部分４ｂの可動部分ベース５０のベース裏面５２が、電装部固定部分４ａの開方向ストッパー７４の側面に当接した際、ベース裏面５２は取付部前面２３ｃに垂直になる。このとき、広幅上端面８３ａと広幅下端面８３ｂの直線状の範囲は取付部前面２３ｃに対向し、広幅上端面８３ａと広幅下端面８３ｂの円弧状の範囲は内側を向いている。すなわち、狭幅上端面８４ａと狭幅下端面８４ｂの直線状の範囲が取付部前面２３ｃの反対側（斜め下側）に位置している。
【００２９】
そして、電装部可動部分４ｂを取付部前面２３ｃと略平行に上下方向に移動することが可能であるから、電装部可動部分４ｂの広幅下端面８３ｂが電装部固定部分４ａの取付軸下リブ７１ｂに当接させた状態（図９ａ参照）で、電装部可動部分４ｂを取付部前面２３ｃから離す方向に移動することによって、広幅上端面８３ａから取付軸７２の取付軸上端７２ａが抜け出すことになる（図９ｂ参照）。
すなわち、かかる動作によって、電装部可動部分４ｂを電装部固定部分４ａから取り外すことができる。なお、電装部可動部分４ｂの広幅上端面８３ａが電装部固定部分４ａの取付軸上リブ７１ａに当接させることによって、広幅下端面８３ｂから取付軸７２の取付軸下端７２ｂを抜け出させて、電装部可動部分４ｂを電装部固定部分４ａから取り外してもよい。
さらに、電装部可動部分４ｂを電装部固定部分４ａに取り付ける際は、前記を逆に進める工程を実行すればよい。
【００３０】
（効果）
以上の説明から明らかなように、本発明は、電装部４を電装部固定部分４ａと電装部可動部分４ｂとに分離して、電装部固定部分４ａを熱交換器３の端面と筐体７との間に設置すると共に、電装部可動部分４ｂを電装部固定部分４ａの前面側で、ドレンユニット５の端部と筐体７との間に配置することを可能にしたことから、筐体７を大きくすることなく、電装部可動部分４ｂを大きくすることが可能になる。すなわち、空気調和機の制御機能を拡大して、制御回路基板４０が拡大しても、筐体７（室内機１００）を小サイズに抑えることが可能になる。
また、電装部可動部分４ｂを電装部固定部分４ａに対して回転自在にしているから、電装部固定部分４ａを回転するだけで、熱交換器３またはドレンユニット５を簡単に点検することができる。
さらに、電装部可動部分４ｂを電装部固定部分４ａに対して取り外し自在にしているから、電装部可動部分４ｂを簡単に取り外すことによって、電装部可動部分４ｂに収納された制御回路基板４０の点検や取り替えを容易に実行することが可能になる。
なお、前記とは反対に、固定部分取付手段７０を電装部可動部分４ｂに、可動部分取付手段８０を電装部固定部分４ａに設けても、同様の作用効果が得られるものである。
【符号の説明】
【００３１】
１  基台、２  送風ファン、３  熱交換器、４  電装部、４ａ  電装部固定部分、４ｂ  電装部可動部分、４ｃ  回転軸、５  ドレンユニット、６  意匠パネル、７  筐体、７ａ  吸込口、７ｂ  吹出口、８  風路、９ａ  左右風向板、９ｂ  上下風向板、１０  電源回路基板、１１  実装面、１２  裏面、２０  電源箱、２１  収納部、２１ａ  収納部内面、２１ｂ  収納部上面、２１ｃ  収納部前面、２１ｄ  収納部下面、２１ｅ  収納部後面、２２  中間部、２２ｃ  中間部前面、２３  取付部、２３ｃ  取付部前面、３０  電源箱カバー、３０ａ  カバー面、３０ｂ  カバー上面、３０ｃ  カバー前面、４０  制御回路基板、４１  実装面、４２  回路裏面、５０  可動部分ベース、５１  ベース表面、５２  ベース裏面、５３  ベース側縁、５４  ベース側縁、６０  可動部分カバー、７０  固定部分取付手段、７１  取付軸リブ、７１ａ  取付軸上リブ、７１ｂ  取付軸下リブ、７２  取付軸、７２ａ  取付軸上端、７２ｂ  取付軸下端、７３ａ  閉方向ストッパー、７３ｂ  閉方向ストッパー、７４  開方向ストッパー、７５  固定部分移動ストッパー、８０  可動部分取付手段、８１  軸受部材、８１ａ  軸受上部材、８１ｂ  軸受下部材、８２  軸侵入穴、８２ａ  軸上侵入穴、８２ｂ  軸下侵入穴、８３ａ  広幅上端面、８３ｂ  広幅下端面、８４ａ  狭幅上端面、８４ｂ  狭幅下端面、８５  可動部分移動ストッパー、１００  室内機。
【図１】
2014119179.tif 000003
【図２】
2014119179.tif 000004
【図３ａ】
2014119179.tif 000005
【図３ｂ】
2014119179.tif 000006
【図４】
2014119179.tif 000007
【図５ａ】
2014119179.tif 000008
【図５ｂ】
2014119179.tif 000009
【図６ａ】
2014119179.tif 000010
【図６ｂ】
2014119179.tif 000011
【図６ｃ】
2014119179.tif 000012
【図７ａ】
2014119179.tif 000013
【図７ｂ】
2014119179.tif 000014
【図７ｃ】
2014119179.tif 000015
【図７ｄ】
2014119179.tif 000016
【図８ａ】
2014119179.tif 000017
【図８ｂ】
2014119179.tif 000018
【図８ｃ】
2014119179.tif 000019
【図８ｄ】
2014119179.tif 000020
【図９ａ】
2014119179.tif 000021
【図９ｂ】
2014119179.tif 000022